(57)【特許請求の範囲】
【請求項１】
樋本体の屋内側上端部に屋内側耳を備えてなる軒樋と、
躯体側に固定する取付板部、この取付板部から屋外側に突出してなる支持腕、この支持腕の屋外側に設けてなる樋屋外側係止部、支持腕の屋内側下部に設けてなる樋屋内側係止部、及びこの樋屋内側係止部から前記取付板部に向かって突出した係止片とを備えてなる軒樋支持具と、を有し、
軒樋支持具における係止片の突出端部と取付板部の屋外側表面との間に、軒樋の屋内側耳の幅よりも狭い幅の間隙を設けると共に、取付板部内の少なくとも係止片の先端部と対向する部分を含む範囲に、屋外側表面から屋内側に陥ませてなる凹部若しくは切除部を設けてなる構成を備えた軒樋取付構造。
【請求項２】
上記の凹部若しくは切除部は、取付板部の下端縁部から連続して係止片の先端部と対向する部分を含む範囲に形成することを特徴とする請求項１に記載の軒樋取付構造。
【請求項３】
樋本体の屋内側上端部に屋内側耳を備えてなる軒樋を支持するための軒樋支持具であって、
躯体側に固定する取付板部と、この取付板部から屋外側に突出してなる支持腕と、この支持腕の屋外側に設けてなる樋屋外側係止部と、支持腕の屋内側下部に設けてなる樋屋内側係止部と、この樋屋内側係止部から前記取付板部に向かって突出した係止片とを備え、
軒樋支持具における係止片の突出端部と取付板部の屋外側表面との間に、軒樋の屋内側耳の幅よりも狭い幅の間隙を設けると共に、取付板部内の少なくとも係止片の先端部と対向する部分を含む範囲に、屋外側表面から屋内側に陥ませてなる凹部若しくは切除部を設けてなる構成を備えた軒樋取付構造。
【請求項４】
上記の凹部若しくは切除部は、取付板部の下端縁部から連続して係止片の先端部と対向する部分を含む範囲に形成することを特徴とする請求項３に記載の軒樋支持具。
【発明の詳細な説明】
【０００１】
【発明の属する技術分野】
本発明は、軒樋を簡単かつ強固に取り付けることができる軒樋の取付け構造及びこれを構成する軒樋支持具に関する。
【０００２】
【従来の技術】
この種の軒樋の取付け構造としては、図１０に示すように、特許第２９８６３１７号（特開平７−１２７２０１号）において、次の構成を備えた軒樋吊り具５０を用いたものが開示されている。すなわち、軒樋吊り具５０は、軒先の鼻隠板等の躯体側に固定する取付片５１と、この取付片５１から屋外側（前側）に突出してなる支持腕５２と、この支持腕５２の屋外側端部に設けられた屋外側耳保持部５３と、支持腕５２の屋内側端部に設けられた屋内側耳保持部５４とを備え、支持腕５２の屋内側端部から取付片５１に向けて係止片５５を突出させると共に、取付片５１における当該係止片５５の斜め上方位置に突起５６を設けて前記屋内側耳保持部５４を構成するものであった。
【０００３】
また、特開平９−１５１５７９号では、図１１に示すように、上記軒樋取付け構造における係止片５５の屋外側端部を屋外側に延設してガイド板５７を設け、このガイド板５７によって屋内側耳６２を係止片５５と突起５６との間に簡単かつ確実に挿通できるようにした軒樋取付け構造が開示されている。
【０００４】
【発明が解決しようとする課題】
上記の軒樋取付け構造はいずれも、軒樋６０の屋外側耳６１を軒樋吊り具５０の屋外側耳保持部５３に係止させ、この係止点を中心に軒樋６０を回転させて屋内側を押し上げると、軒樋の屋内側耳６２が弾性変形して軒樋吊り具５０の係止片５５と突起５６との間を通過し、通過後に屋内側耳６２が復元して係止片５５と突起５６とで挟持されるから、ワンタッチ式に簡単に取り付けることができるようになっている。
しかしながら、このような軒樋取付け構造では、屋内側耳６２それ自体が弾性変形し得る幅で係止されているから、例えば積雪荷重や風圧などによって軒樋に大きな力が加わると、屋内側耳６２が屋内側耳保持部５４内から抜け落ちる可能性があった。
【０００５】
そこで本発明は、かかる課題に鑑みて、軒樋を簡単に取り付けることができ、しかも積雪荷重や風圧などによって軒樋に大きな力が加わったとしても外れることがないように強固に軒樋を取り付けることができる軒樋取付け構造及びこれを構成するための軒樋支持具を提供せんとするものである。
【０００６】
【課題を解決するための手段】
上記課題を解決するために、本発明は、樋本体の屋内側上端部に屋内側耳を備えてなる軒樋を、次のような構成を備えた軒樋支持具を用いて支持する軒樋取付構造を提供する。すなわち、本発明の軒樋支持具は、樋本体の屋内側上端部に屋内側耳を備えてなる軒樋を支持するための軒樋支持具であって、躯体側に固定する取付板部と、この取付板部から屋外側に突出してなる支持腕と、この支持腕の屋外側に設けてなる樋屋外側係止部と、支持腕の屋内側下部に設けてなる樋屋内側係止部と、この樋屋内側係止部から前記取付板部に向かって突出した係止片とを備え、軒樋支持具における係止片の突出端部と取付板部の屋外側表面との間に、軒樋の屋内側耳の幅よりも狭い幅の間隙を設けると共に、取付板部内の少なくとも係止片の先端部と対向する部分を含む範囲に、屋外側表面から屋内側に陥ませてなる凹部若しくは切除部を設けるように構成することとした。
【０００７】
かかる構成を備えた軒樋支持具であれば、軒樋支持具の樋屋外側係止部に軒樋の屋外側を掛止し、軒樋の屋内側は、屋内側耳を係止片に係止させて軒樋を支持させることができる。しかも、本発明の軒樋支持具の取付板部には凹部若しくは切除部を設けてあるから、屋内側耳を係止片に係止させる際、凹部若しくは切除部内に軒樋の屋内側耳を含む後面部を撓ませることができ、少なくとも屋内側耳の弾性変形し得る幅よりも広い幅で弾性変形させることができるから、その分係止幅を大きくとることができ、たとえ積雪荷重や風圧などによって軒樋に大きな力が加わったとしても外れないように軒樋を強固に取り付けることができる。
【０００８】
上記の軒樋の取付け構造において、凹部若しくは切除部は、取付板部の下端縁部から連続して係止片の先端部と対向する部分を含む範囲に形成するのが好ましい。このように凹部若しくは切除部を形成すれば、係止片と取付板部との間に軒樋の屋内側耳を通過させる際、係止片と接触している屋内側耳の部分及びその下方の軒樋後面側全体を凹部若しくは切除部内に撓ませ入れることができるから、より一層スムースに軒樋を取り付けることができる。同時に、屋内側耳及び後面部をより一層大きく幅をもって弾性変形させることができることになるから、その分より一層大きな係止幅を確保することができる。
【０００９】
さらに、上記の軒樋の取付け構造において、樋内抑え具を、軒樋支持具の係止片の基端部に回転可能に軸止し、軒樋の取付け状態において、樋内抑え具の上片部が屋内側耳の頭部に支持され、樋内抑え具の下片部が軒樋の後面部に添い、当該下片部の下端部が軒樋の底面付近に位置するように構成すれば、軒樋の屋内外方及び上下方向の移動・変形を規制することができ、より強固に軒樋を取り付けることができる。
【００１０】
なお、本発明の軒樋取付構造及び軒樋支持具において、軒樋の屋外側係止構造は、軒樋支持具の樋屋外側係止部に係合可能な構造であれば任意に形成可能である。例えば、下記実施例の如く、樋本体の屋外側上端部に屋外側耳を設け、軒樋支持具にはこれを係止可能な樋屋外側係止部を設けるように形成することも可能であるし、その他の係合構造とすることも可能である。
【００１１】
【発明の実施の形態】
以下、本発明の実施形態を一実施例に基づいて説明する。
【００１２】
本実施形態にかかる軒樋取付け構造は、図１に示すように、軒樋支持具１０及び樋内抑え具２０を用いて軒樋１を支持するように構成したものである。
【００１３】
本実施形態における軒樋１は、底面部２ａ、底面部２ａの屋外側端縁部から起立してなる前面部２ｂ、及び底面部２ａの屋内側端縁部から起立してなる後面部２ｃを備えた断面略Ｕ字状の長尺溝状の樋本体２と、樋本体２の屋外側上端部すなわち前面部２ｂの上端部に沿って設けてなる屋外側耳３と、樋本体２の屋内側上端部すなわち後面部２ｃの上端部に沿って設けてなる屋内側耳４とを、備えている。
【００１４】
この軒樋１は、硬質塩化ビニル樹脂等の合成樹脂を押出成形してなる長尺材であり、少なくとも底面部２ａ、前面部２ｂ及び後面部２ｃを薄肉板状に形成してある。
【００１５】
屋外側耳３は、後述する軒樋支持具１０の樋屋外側係止部１３内に挿入することにより、軒樋１の屋外側を掛止できるように形成してある。具体的には、前面部２ｂの上端部から樋内側に突出すると共に¬状に折れ曲がった逆Ｌ型空洞部３ａを形成し、この逆Ｌ型空洞部３ａの下端部を水平方向に湾曲させながら収束し、その先端側に屋内側略水平方向に突出してなる突出片部３ｂとして延設し、この突出片部３ｂの先端部を丸く膨らませて丸棒状端部３ｃとし、逆Ｌ型空洞部３ａと前面部２ｂとで囲まれる逆凹溝部３ｄを掛止部とするように形成してある。
なお、本発明は、屋外側耳３の形状及び構造を特に限定するものではないが、上記の如く、逆Ｌ型空洞部と突出片部とを備えるように形成すれば、軽量でかつ強度が高く、可撓性を付与することができる。
【００１６】
屋内側耳４は、後面部２ｃの上端部から樋内側に突出すると共に、断面略三角状、すなわち上端部から樋内側に下る傾斜面４ａを備えるように形成してある。
この屋内側耳４は、本実施例の如く、上端部から樋内側に下る傾斜面４ａを備えるように形成するのが好ましいが、図９に示す如く、断面略四角状に形成することもできる。
【００１７】
次に、軒樋支持具１０は、図２及び図３に示すように、取付板部１１と、この取付板部１１から屋外側に突出してなる支持腕１２と、支持腕１２の屋外側端部に設けてなる樋屋外側係止部１３と、支持腕１２の屋内側言い換えれば支持腕１２の脇部分に設けてなる樋屋内側係止部１４と、樋内抑え具２０を回動可能に軸止し得る軸受部１５と、を備えるように構成してある。
この軒樋支持部１０は、金属製であっても、樹脂製であってもよい。樹脂製とする場合、例えばポリカーボネート樹脂、硬質塩化ビニル樹脂、アクリロニトリル、ポリ塩化ビニル、ポリエチレン、ポリスチレン、ポリプロピレンなどを用いることができるが、これに限定するものではない。
【００１８】
取付板部１１は、適宜肉厚を有する長方形板状の取板本体１１ａ内に屋外側表面１１ｂから屋内側に陥んだ凹部１６を設け、取板本体１１ａ内の四隅付近にはそれぞれ貫通孔１１ｃを設けて構成してある。
ここで、凹部１６は、上下方向に見ると、取板本体１１ａの下端縁部から連続して半分よりも若干上方に至る範囲に形成し、左右方向に見ると、取板本体１１ａの左右両端に渡って形成し、凹部周縁にはテーパ面を形成してある。
この凹部１６は、図７に示すように、取板本体１１ａの下端縁部から連続させずに中央部に独立して形成することも可能であるが、本実施例の如く、取板本体１１ａの下端縁部から連続した範囲に形成すれば軒樋１をより円滑に取り付けることができる。なお、凹部１６の上端は、少なくとも係止片１７の先端部と対向する部分を含む範囲まで形成し、言い換えれば少なくとも係止片１７の先端部よりも上方まで形成する必要があるが、係止片１７の先端部よりもどれだけ上方まで形成するかについては屋内側耳４の上下幅及び樋内抑え具２０の可動範囲などを考慮して適宜設定すればよい。
凹部１６の左右幅は、少なくとも後述する係止片１７の樋長さ方向幅よりも広く設定すればよいが、本実施例の如く取板本体１１ａの左右両端に渡るように広い幅に形成すれば、軒樋１を樋溝幅方向に同じ幅だけ撓ませるにしてもより緩やかに撓ませることができるから、軒樋１に無理な力を加えないでより円滑に取り付けることができる。逆に言えば、軒樋１を樋溝幅方向により大きく撓ませることができる。
また、本実施例の如く、少なくとも左右両側縁部をテーパ状に形成すれば、一定幅の取板本体１１ａ内にできるだけ広い幅に渡って凹部を形成することができる。
【００１９】
支持腕１２は、少なくとも取付板部１１よりも狭い幅をもって形成し、取付板部１１の上端中央部から屋外側に突出するように形成してある。この支持腕１２は、上下に適宜間隔をおいて並設してなる２本の上側腕部１２ａ及び下側腕部１２ｂから形成してあり、取付板部１１から屋外側に向かって一旦下り、後面部２ｃとの間に脇部を形成し、続いて水平部介して屋外側先端部において上向きになるように形成してある。
【００２０】
樋屋外側係止部１３は、上面に開口部１３ａを設けてなる略矩形状の空洞部１３ｂを設けて形成してあり、空洞部１３ｂ内の開口部１３ａの下方には湾曲したスロープ面を形成し、開口部１３ａから屋外側耳３を挿入するとスムーズに空洞部１３ｂの奥方に案内されるように形成してある。
【００２１】
樋屋内側係止部１４は、上記取付板部１１に向かって突出する係止片１７を設けて、この係止片１７上に軒樋１の屋内側耳４を係止し得るように構成してある。係止片１７は、上記支持腕１２の下側腕部１２ｂが取付板部１１から突出して下ったその下端部から取付板部１１に向かって斜め上方に突出するように形成し、この係止片１７の突出端部と取付板部１１の屋外側表面１１ｂと間に適宜距離Ｈを設けるようにしてある。係止片１７の形状は、適宜肉厚を備えた板片の先端下面側を湾曲形成し、係止片１７の下面に屋内側耳４を当接させて押し上げると当該屋内側耳４をスムースに屋内側に案内し得るように形成してある。ここで、上記の距離Ｈ、すなわち樋屋内側係止部１４における係止片１７の突出端部と取付板部１１の屋外側表面１１ｂとの間の距離Ｈは、屋内側耳４の通常状態における樋溝幅方向幅（短手幅）よりも狭く、かつ後面部２ｃの肉厚よりも広く形成する。更に言えば、屋内側耳４自体が樋溝幅方向に弾性変形し得る幅よりも狭く設定し、図６に示すように、軒樋２の屋内側耳４を凹部１６内に撓んで入らないと取付板部１１と係止片１７との間を屋内側耳４が通過できないようにするのが好ましい。なお、樋屋内側係止部１４は、取付板部１１に向かって突出する係止片１７を設け、その係止片１７の上部に屋内側耳４を収納し得る空間部ができれば、その他の構成は任意である。
【００２２】
軸受部１５は、係止片１７の基端部分、すなわち支持腕１２の下側腕部１２ｂが取付板部１１から一旦下がった部分の下端部付近に形成してある。この軸受部１５は、下面部に樋内抑え具２０の軸部２５よりも若干狭幅の開口部１５ａを設け、その奥に丸溝部１５ｂを設けて樋内抑え具２０を回動可能に軸止し得るように形成してある。
【００２３】
樋内抑え具２０は、図４に示すように、くの字状に折れ曲がった板片部２１ａ（２２ａ）に連続して垂直片部２１ｂ（２２ｂ）を形成してなるが如き形状の２枚の板片部２１、２２を若干の間隔をおいて並べて抑え片２３を形成し、２組の抑え片２３、２３を支持腕１２の幅だけ間隔をおいて配設し、これら抑え片２３、２３間を連結片２４で連結すると共に、板片部２１ａ（２２ａ）の屈曲部分に軸部２５を架け渡して構成してある。
この樋内抑え具２０は、軸部２５を軒樋支持具１０の軸受部１５内に挿入して装着することにより、軒樋支持具１０に軸部２５を中心に回転可能に軸止することができる。
なお、樋内抑え具２０は、くの字状に折れ曲がった回動支承片部に連続する下片部を備えた抑え片間に軸部で架設し、軒樋の取付けた状態においては、上片部が屋内側耳の頭に支持され、下片部が軒樋の後面部に添って下片部下端部が軒樋の底面付近に位置する構造を備えていれば、適宜変更可能である。
【００２４】
以下、上記の軒樋支持具１０及び樋内抑え具２０を用いて軒樋１を取り付ける方法及びその取付け構造について説明する。
【００２５】
先ず、軒樋支持具１０の取付板部１１を軒先の鼻隠し板１００の所定位置に当接し、各貫通孔１１ｃにビス等を打ち込んで軒樋支持具１０を軒先に固定する。
次に、図５に示すように、屋外側耳３の突出片部３ｂを樋屋外側係止部１３の開口部１３ａ内に挿入するようにして屋外側耳３を樋屋外側係止部１３に係止させ、この係止点を中心に軒樋１を屋内側に回転させて屋内側耳４を係止片１７の下面に当接させる。この際、樋内抑え具２０は、図５に示す如く、自然にバランスがとれた状態すなわち垂直片部２１ｂが屋外側に適宜角度開いた状態にして軒樋１の動作を邪魔しないようにしておくのが好ましい。
【００２６】
続いて、軒樋１の屋内側を上方に押し上げる。すると、図６（Ａ）〜（Ｃ）に示すように、係止片１７によって屋内側耳４は屋内側に押出され、図６（Ｂ）（Ｃ）に示すように、係止片１７と接触している部分を中心として屋内側耳４及び軒樋１の後面部２ｃが屋外側に撓んで凹部１６内に入り込み、この状態で、屋内側耳４は係止片１７と取付板部１１との間を通過し、通過した後に屋内側耳４及び後面部２ｃはその弾性によって撓んだ状態から復元し、屋内側耳４は係止片１７上に係止される。
このように、本発明では取付板部１１内に凹部１６を形成したことにより、従来のように屋内側耳４自体の弾性変形ではなく、軒樋１の屋内側耳４及び後面部２ｃが屋内方向に撓んで、屋内側耳４を係止片１７と取付板部１１との間を通過させることができるから、少なくとも屋内側耳４の弾性変形幅よりも大きく幅の弾性変形を伴って屋内側耳４を係止させることができ、より大きな係止幅を確保することができるからより一層強固に軒樋１を取り付けることができる。しかもその凹部１６を取板本体１１ａの下端縁部から連続して形成することにより、係止片１７と接触している部分の屋内側耳４と共にその下方の後面部２ｃをも一緒に撓わませることができ、軒樋１を大きく弾性変形させるにもかかわらず軒樋１に無理な力を加えないで取り付けることができる。
【００２７】
さらに、軒樋１の屋内側を上方に押し上げる際、屋内側耳４が樋内抑え具２０の板片部２１ａ（２２ａ）を押し上げ、樋内抑え具２０は垂直片部２１ｂ（２２ｂ）が軒樋１の後面部２ｃに近づくように回転して、軒樋１の取付け状態では、樋内抑え具２０の板片部２１ａ（２２ａ）が屋内側耳４に押し上げられ、垂直片部２１ｂ（２２ｂ）は軒樋１の後面部２ｃに添い、当該垂直片部２１ｂ（２２ｂ）の下端部は軒樋１の底面２ａ付近に位置する状態に固定されるから、樋内抑え具２０によって軒樋１の屋外側への移動及び変形並びに上方への移動及び変形を規制することができる。
ただし、樋内抑え具２０は、取り付けるのが勿論好ましいが、欠けていても本発明の軒樋取付け構造を構成することは可能である。
【００２８】
図７は、上記軒樋支持具１０の変形例としての軒樋支持具３０を示したものであり、軒樋支持具１０の構成における凹部１６を、取板本体１１ａの下端縁部から連続させずに中央部に独立して凹部３６として形成し、その他は軒樋支持具１０と同様に形成したものである。この場合には、屋内側耳４を係止片１７と取付板部１１との間に押し込む際、軒樋支持具１０の場合のように、屋内側耳４からその下方の後面部２ｃが全体的に屋内側に撓むのではなく、屋内側耳４とその付近の後面部２ｃのみが部分的に凹部３６内に撓んで入るようになる。よって、軒樋支持具１０に比べれば、軒樋１の屋内側耳４及び後面部２ｃを屋内方向に撓ませにくくなり、係止幅も小さいが、従来の如き屋内側耳４の弾性変形により係止する場合に比べればより大きな係止幅を確保することができる。
【００２９】
図８は、上記軒樋支持具１０の変形例としての軒樋支持具４０を示したものであり、軒樋支持具１０の構成における凹部１６の部分を切除部４６とし、その他は軒樋支持具１０と同様に形成したものである。この場合には、軒樋支持具１０と同様の効果を得ることができる。
【図面の簡単な説明】
【図１】本発明の一実施例に係る軒樋取付け構造の一例を示した一部断面側面図である。
【図２】図１の軒樋取付け構造を構成する軒樋支持具の一例を示した側面図である。
【図３】図２に示した軒樋支持具の斜視図である。
【図４】図１の軒樋取付け構造を構成する樋内抑え具の斜視図である。
【図５】図１の軒樋取付け構造の施工状態の一例を示した一部断面側面図である。
【図６】同じく図１の軒樋取付け構造の施工状態中の屋内側耳が係止片、取付板部間を挿通する際の状態したものであり、（Ａ）は側面から見た図、（Ｂ）は上方から見た図、（Ｃ）は斜め上方から見た断面図である。
【図７】軒樋支持具の変形例と、これを用いた軒樋取付け構造の一例を示した一部断面側面図である。
【図８】図７とも異なる軒樋支持具の変形例を示した斜視図である。
【図９】軒樋の変形例を示した側面図である。
【図１０】従来の軒樋取付け構造の一例を示した一部断面側面図である。
【図１１】従来の軒樋支持具の一例を示した側面図である。
【符号の説明】
１  軒樋
２  樋本体
３  屋外側耳
４  屋内側耳
１０  軒樋支持具
１１  取付板部
１２  支持腕
１３  樋屋外側係止部
１４  樋屋内側係止部
１５  軸受部
１６  凹部
１７  係止片
２０  樋内抑え具
３０  軒樋支持具
３６  凹部
４０  軒樋支持具
４６  切除部
【図１】
0003926999.tif 000002
【図２】
0003926999.tif 000003
【図３】
0003926999.tif 000004
【図４】
0003926999.tif 000005
【図５】
0003926999.tif 000006
【図６】
0003926999.tif 000007
【図７】
0003926999.tif 000008
【図８】
0003926999.tif 000009
【図９】
0003926999.tif 000010
【図１０】
0003926999.tif 000011
【図１１】
0003926999.tif 000012